(57)【要約】【課題】外観の良い簡易構造体を提供する。【解決手段】本発明にかかる簡易構造体１は、屋根体３と壁体５とを備え、屋根体３は、屋根９と屋根支持柱１３を有し、壁体５は、表側壁１５と裏側壁１７と壁支持縦材１９を有し、表側壁１５と裏側壁１７と壁支持縦材１９とで囲まれる空間Ｓに屋根支持柱１３が配置してある。【選択図】図１
2020204171.tif 000002
【特許請求の範囲】
【請求項１】
屋根体と壁体とを備え、屋根体は、屋根と屋根支持柱を有し、壁体は、表側壁と裏側壁と壁支持縦材を有し、表側壁と裏側壁と壁支持縦材とで囲まれる空間に屋根支持柱が配置してあることを特徴とする簡易構造体。
【発明の詳細な説明】
【技術分野】
【０００１】
本発明は、簡易構造体に関する。
【背景技術】
【０００２】
先行技術文献には、屋根支持柱に目隠しパネルを設置したカーポート（簡易構造体）が開示されている。
【先行技術文献】
【非特許文献】
【０００３】
【非特許文献１】第１１７０頁「  三協アルミ  エクステリア建材  総合カタログ  価格改定版  エクステリア  ２０１９→２０２０」カタログＮｏ．ＳＴＸ１２６０Ａ  三協立山株式会社  三協アルミ社  ２０１９年２月発行
【発明の概要】
【発明が解決しようとする課題】
【０００４】
しかし、カーポート（簡易構造体）の屋根支持柱に目隠しパネルを設置しても、屋根支持柱が見えてしまい外観が良くなかったので、外観の良いものが求められた。
【０００５】
そこで、本発明は、外観の良い簡易構造体の提供を目的とする。
【課題を解決するための手段】
【０００６】
請求項１に記載の発明は、屋根体と壁体とを備え、屋根体は、屋根と屋根支持柱を有し、壁体は、表側壁と裏側壁と壁支持縦材を有し、表側壁と裏側壁と壁支持縦材とで囲まれる空間に屋根支持柱が配置してあることを特徴とする簡易構造体である。
【発明の効果】
【０００７】
請求項１に記載の発明によれば、表側壁と裏側壁と壁支持縦材とで囲まれる空間に屋根支持柱を配置して隠しているので、外観が良い。  
表側壁と裏側壁と壁支持縦材とで囲まれる空間があり、この空間に屋根支持柱を配置しているので、施工性が良い。
【図面の簡単な説明】
【０００８】
【図１】本発明の第１実施の形態であって、図３に示すＡ−Ａ断面図である。
【図２】本発明の第１実施の形態であって、図４に示すＢ―Ｂ断面図である。
【図３】本発明の第１実施の形態であって、図４に示す壁体及びその周囲を簡易構造体の外側から見た正面図である。
【図４】本発明の第１実施の形態にかかる簡易構造体及びその周囲を示す斜視図である。
【図５】本発明の第１実施の形態にかかる簡易構造体の作用効果を説明する図であり、（ａ）は正面図、（ｂ）は（ａ）に示すＢ−Ｂ断面図である。
【図６】本発明の第１実施の形態にかかる簡易構造体の他の作用効果を説明する図であり、（ａ）は正面図、（ｂ）は（ａ）に示すＢ−Ｂ断面図である。
【図７】本発明の第１実施の形態にかかる簡易構造体の他の作用効果を説明する図であり、（Ａ−１）は壁体及びその周囲の縦断面図、（Ａ−２）は（Ａ−１）に示すＡ−Ａ断面図、（Ｂ−１）は壁体及びその周囲の縦断面図、（Ｂ−２）は（Ｂ−１）に示すＢ−Ｂ断面図である。
【図８】本発明の第２実施の形態にかかる簡易構造体及びその周囲を示す斜視図である。
【図９】本発明の第３実施の形態にかかる簡易構造体及びその周囲を示す斜視図である。
【図１０】本発明の第４実施の形態にかかる簡易構造体の図であり、（ａ）は壁体の上部を示す正面図、（ｂ）は（ａ）に示すＢ−Ｂ断面図である。
【図１１】（ａ）は図１０（ａ）に示すＣ−Ｃ断面図であり、（ｂ）は（ａ）において支柱根本部品及び連結部品を取り付ける前の状態を示す図である。
【図１２】本発明の第５実施の形態にかかる簡易構造体の図であり、図１１（ａ）に対応する断面図であり、（ｂ）は（ａ）において支柱根本部品及び連結部品を取り付ける前の状態を示す図である。
【発明を実施するための形態】
【０００９】
以下に、添付図面を参照して、本発明の実施の形態を説明するが、まず、図１〜図７を参照して本発明の第１実施の形態について説明する。  
図４に示すように、第１実施の形態にかかる簡易構造体１は、カーポートであり、屋根体３と壁体５とを備えている。この簡易構造体１は住宅７のエントランスの横に施工されている。  
屋根体３は、屋根９と、屋根支持柱１３を備えている。屋根９は、梁１１に吊り具１２（図２参照）で吊り下げてあり、梁１１の両端を屋根支持柱１３で支持している。本実施の形態では、互いに平行に設けた２つの梁１１が設けてあり、梁１１を支持する屋根支持柱１３は、屋根９を挟む一方側と他方側にそれぞれ２つ並んで設けてある。屋根支持柱１３は中空形材である（図１参照）。
【００１０】
壁体５は、簡易構造体１において、梁１１を挟む一方側の屋根支持柱１３、１３側に設けた目隠し用の壁体である。  
図１に示すように、壁体５は、表側壁１５と裏側壁１７と、壁支持縦材１９を有しており、表側壁１５と裏側壁１７と壁支持縦材１９とで囲まれる空間Ｓに屋根支持柱１３を配置してある。尚、壁体５において、表側壁１５は簡易構造体１の内側にあり、裏側壁１７は外側にある。  
壁支持縦材１９は、壁体５の左右方向に所定間隔をあけて複数設けてあり、下端部１９ａ（図３参照）を地面に埋め込んで固定してある。壁支持縦材１９は、中空のアルミ形材である。
【００１１】
図２に示すように、表側壁１５と裏側壁１７とは、それぞれ壁材２１を積み上げて作られており、上壁材２１ａと、下壁材２１ｂと、係合金具２３と、被係合金具２５とを備えている。  
上壁材２１ａと下壁材２１ｂとは、同種の壁材２１であり、本明細書では、壁材２１を積み上げたときの上下で隣り合う壁材２１どうしの位置関係が必要な場合に上壁材２１ａと下壁材２１ｂと表記する。したがって、本明細書において、上下に隣り合う壁材の位置関係が必要ない場合には単に壁材２１と表記する。また、最下位置にある壁材は壁材２１ｅとし、最上位置にある壁材は壁材２１ｆと表記する。  
壁材２１は樹脂材２９で形成されている。また、図３に示すように、各壁材２１は、壁体５の左右方向に亘って設けてある。
【００１２】
次に、図２を参照して、係合金具２３と被係合金具２５について説明するが、表側壁１５に設けた係合金具２３及び被係合金具２５と、裏側壁１７に設けた係合金具２３及び被係合金具２５とは同じ構造であるから、以下の説明では、表側壁１５について説明する。  
係合金具２３は、壁材２１の左右方向に亘って設けてあり（図３参照）、壁材取付部２３ａを下壁材２１ｂの上部裏面３５にネジ３６で取り付けてあり、壁支持縦材取付部３７と係合部３９とを一体に備えている。壁支持縦材取付部３７と係合部３９の間は連結部４１で連結されている。  
壁支持縦材取付部３７は壁支持縦材１９に当接してあり、壁材２１側から止めるネジ４０で壁支持縦材１９に固定してある。  
係合部３９は、連結部４１の壁材２１側端に設けてあり、上壁材２１ａの下部裏面３５側で上に向けて突出している。
【００１３】
被係合金具２５は、係合金具２３と同様に壁材２１の左右方向に亘って設けてあり（図３参照）、上壁材２１ａの下部裏面３５にネジ４２で取り付けてあり、被係合部４３と目地部４５とを一体に備えている。被係合金具２５には、被係合部４３の壁支持縦材１９側に壁支持縦材当接部４７が設けてある。  
被係合部４３は開口を下に向けた溝であり、係合金具２３の係合部３９を溝に嵌め込むようにして上から係合している。  
目地部４５は、被係合部４３の下で上壁材２１ａの下端２２と下壁材２１ｂの上端２４との隙間Ｔの後側に位置している。この目地部４５は、被係合部４３の溝を形成している壁材側溝壁４９から連続して下方に延出している。
【００１４】
壁体５の上端部には、笠木ベース５５、笠木補助材５６及び笠木５７が取り付けてある。笠木ベース５５は、壁支持縦材１９の上端にネジ５４で壁支持縦材１９のビスホール５８（図１参照）に固定してある。この笠木ベース５５には、笠木５７が係止する係止部６２が設けてある。  
笠木補助材５６は、表側壁１５と裏側壁１７の最上に設けた各壁材２１ｆの上面及び上部裏面３５を覆っており、ネジ６０で各壁材２１ｆに固定してあると共にネジ６１で笠木ベース５５にも固定されている。最上位置にある壁材２１ｆには、被係合金具２５のみが取り付けてあり、係合金具２３は取り付けていない。  
笠木５７は、表側壁１５と裏側壁１７とに亘って設けてあるが、屋根支持柱１３のある箇所では、切除されている。笠木５７には笠木ベース５５の係止部６２に係止する被係止部６３が設けてある。
【００１５】
図１に示すように、壁体５において、左端（図１の左端）にある端側壁支持縦材１９ｂの左側面には左側に突設する被係止部３２が形成してあり、この被係止部３２に縦枠３１の係止部３３を係止して縦枠３１が取り付けてある。壁体５の右端においても同様に、端側壁支持縦材１９ｂ（図３参照）の右側面に縦枠３１が取り付けてある。  
図２に示すように、壁体５の下端において、壁支持縦材１９には表側壁１５と裏側壁１７の各対向面に係合金具２３をネジ４０で取り付けてあり、最下にある壁材２１ｅの被係合金具２５を係合金具２３に係合してある。
【００１６】
次に、図１を参照して、表側壁１５と、裏側壁１７と、壁支持縦材１９とで囲まれる空間Ｓと、屋根支持柱１３との関係について説明する。  
屋根支持柱１３は、表側壁１５と、裏側壁１７と、壁支持縦材１９と非接触状態で配置してある。  
壁体５の空間Ｓは、屋根支持柱１３を隣合う壁支持縦材１９、１９間の長手寸法Ｌ及び巾寸法Ｗ内で任意の位置に設置自在な大きさを有している。  
また、壁体５には、その長手方向に複数の空間Ｓが形成されており、任意の空間Ｓに屋根支持柱１３を設置可能としてある。尚、空間Ｓは、各壁支持縦材１９の設置位置を変えることで、長手寸法Ｌを変更自在である。
【００１７】
次に、本実施の形態にかかる簡易構造体１の施工方法について説明する。  
図４に示すように、各屋根支持柱１３を所定位置で地面に立設し、対向する屋根支持柱１３の上端に梁１１を架設する。梁１１に吊り具１２を介して屋根９を取り付ける。  
次に、壁体５を施工する。このとき、各壁材２１には、予め、上部裏面３５に係合金具２３を取り付けておき、下部裏面３５に被係合金具２５を取り付けておく。尚、最上位置に使う壁材２１ｆには係合金具２３を取り付けないで、被係合金具２５のみを取り付ける。  
図３に示すように、各壁支持縦材１９を地面に立設し、図２に示すように、各壁支持縦材１９の下端部には、その表側と裏側とに係合金具２３の壁支持縦材取付部３７をネジ４０で固定する。  
そして、最下位置の壁材２１ｅに取り付けた被係合金具２５の被係合部４３を壁支持縦材１９に取り付けた係合金具２３の係合部３９に上から係合して最下位置の壁材２１ｅを壁支持縦材１９に取り付ける。  
その後、上壁材２１ａの下部裏面３５に取り付けた被係合金具２５の被係合部４３を下壁材２１ｂの係合金具２３の係合部３９に上から係合して上壁材２１ａを下壁材２１ｂの上に積み上げ、上壁材２１ａの上部裏面３５に取り付けてある係合金具２３の縦材取付部３７をネジ４０で壁支持縦材１９に固定する。  
同様にして、壁材２１を順次積み上げていき、表側壁１５と裏側壁１７をそれぞれ所定高さまで積み上げる。
【００１８】
次に、図１に示すように、壁体５において、最も左側（図１の左側）にある壁支持縦材１９の左側面及び最も右側（図１の右側）にある壁支持縦材１９（図２参照）の右側面にそれぞれ縦枠３１を配置し、縦枠３１の係止部３３を壁支持縦材１９の被係止部３２に係止して、左右の各縦枠３１を取り付け、図２に示すように、笠木５７の被係止部６３を笠木ベース５５の係止部６２に係止して笠木５７を取付け、壁体５１の施工を完了する。
【００１９】
第１実施の形態にかかる簡易構造体１の作用効果について説明する。  
図１に示すように、簡易構造体１は、表側壁１５と裏側壁１７と壁支持縦材１９とで囲まれる空間Ｓに屋根支持柱１３を配置して隠しているので、外観が良い。  
表側壁１５と、裏側壁１７と、壁支持縦材１９とで囲まれる空間Ｓがあり、この空間Ｓに屋根支持柱１３を配置しているので、施工性が良い。
【００２０】
屋根支持柱１３は、表側壁１５と裏側壁１７と壁支持縦材１９と非接触状態で配置してあるから、表側壁１５や裏側壁１７が、壁支持縦材１９に接触して変形したり、損傷するのを防止できる。  
壁体５の空間Ｓにおいて、屋根支持柱１３は壁体５の長手方向の寸法Ｌ及び巾方向の寸法Ｗの任意の位置に設置自在であるから、屋根支持柱１３の設置範囲の自由度が高いと共に、壁体５の設置作業の作業性が良い。  
壁支持縦材１９は、表側壁１５と裏側壁１７との間で、長手方向の寸法Ｌを任意の位置に設置自在であるから、空間Ｓにおける長手方向の寸法Ｌは変更自在である。
【００２１】
例えば、図５（ｂ）に示すように、屋根支持柱１３の設置予定位置（図５に二点鎖線で示す）に水道管やガス管等の障害物Ｍがある場合には、空間Ｓ内でこの障害物Ｍを避けた位置に屋根支持柱３を設置できる。  
また、図６（ｂ）に示すように、屋根支持柱１３の設置予定位置（図６に二点鎖線で示す）に水道管やガス管等の障害物Ｍがある場合には、障害物Ｍを避けた隣の空間Ｓ内に屋根支持柱３を設置できる。
【００２２】
更に、図７（Ａ−１）及び（Ａ−２）に示すように、壁体５を隣の敷地との境界近くに設置している場合には、空間Ｓ内で、屋根支持柱１３を表側壁１５から離して裏側壁１７に近接するように設置することで、簡易構造体１を敷地の境界近くまで設置することができる。  
また、図７（Ｂ−１）及び（Ｂ−２）に示すように、屋根支持柱１３を表側壁１５側に寄せて設置することで、簡易構造体１の屋根体３を広い面積で設置することができる。
【００２３】
図２に示すように、壁体５は、壁支持縦材１９に対して壁材２１を順次係合により積み上げて壁体５を施工できるので、ブロックを積み上げる場合に比較して、工期を短縮できると共に高さ制限も受けない。  
上壁材２１ａの下端２２と下壁材２１ｂの上端２４との間に隙間Ｔを形成しているので、壁材２１の熱伸びを許容できる。  
上壁材２１ａと下壁材２１ｂの隙間Ｔを目地部４５で塞いでいるので、隙間Ｔを塞ぐ仕上げが不要で、意匠性が良い。  
目地部４５は被係合金具２５に一体に設けてあるから、被係合金具２５を上壁材２１ａの下部裏面に３５に取り付けるだけで、上壁材２１ａと下壁材２１ｂの裏面側に設けることができる。  
壁材２１に係合金具２３及び被係合金具２５を取り付けることで、壁材２１の補強ができると共に、係合金具２３は縦材取付部３７を壁支持縦材１９に取り付けているので、壁材２１の壁支持縦材１９への固定ができる。
【００２４】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図８に、本発明の第２実施の形態にかかる簡易構造体１を示す。この第２実施の形態では、壁体５の左右方向（内側から見て左右）の寸法を、図４に示す第１実施形態にかかる簡易構造体１よりも長くしていることが第１実施の形態と異なっている。
【００２５】
この第２実施の形態によっても、上述した第１実施の形態と同様の作用効果を奏することができる。  
特に、壁体５では、間隔をあけて隣合う壁支持柱１９間の長手寸法Ｌ（図１参照）を任意に設定できるから、屋根支持柱１３の設置位置に左右されないで、壁体５を設けることができる。
【００２６】
図９に、本発明の第３実施の形態にかかる簡易構造体１を示す。この第３実施の形態では、屋根支持柱１３は、屋根９を挟んだ対向する側にそれぞれ３本設けて、合計６本設けてある。そして、壁体５は、奥行側（道路側から見て奥側）の２本の屋根支持柱１３、１３を収納している。  
この第３実施の形態によっても、上述した第１実施の形態と同様の作用効果を奏することができる。
【００２７】
また、図４、図８、図９に示す第１〜第３実施形態から明らかなように、本発明の実施形態によれば、壁体５は任意の位置にある屋根支持柱１３を壁体５内に配置することができるから、簡易構造体１の施工やデザインの自由度が高い。
【００２８】
図１０及び図１１に、本発明の第４実施の形態にかかる簡易構造体１を示す。この第４実施の形態では、図１１（ｂ）に示すように、笠木５７には、屋根支持柱１３の設置位置に平面視四角形状の角孔６５が形成されており、屋根支持柱１３は角孔６５を挿通して立設されている。尚、笠木５７は屋根支持柱１３の位置に対応して複数設けてあり、図１１（ａ）に示すように、隣合う笠木５７は、笠木連結部品６７で連結されている。  
図１０（ａ）（ｂ）に示すように、屋根支持柱１３と笠木５７との間には、根本部品６９ａ、６９ｂが設けてある。根本部品６９ａ、６９ｂは、屋根支持柱１３と角孔６５の周縁との間を覆う覆い部７１（図１１（ａ）参照）と、屋根支持柱１３の側面に配置する立ち上がり部７２とを備えており、立ち上がり部７２をビス７３で屋根支持柱１３に固定してある。
【００２９】
この第４実施の形態によれば、屋根支持柱１３と角孔６５の周縁との間を根本部品６９ａ、６９ｂで塞ぐことができるので、雨水が壁体３内に入り込むのを防止できる。また、隣合う笠木５７、５７は笠木連結部品６７で連結しているので、隣合う笠木５７、５７の隙間から雨水が壁体３内に入り込むのを防止できる。
【００３０】
図１２に本発明の第５実施の形態にかかる簡易構造体１を示す。この第５実施の形態では、第４実施の形態の角孔６５に替えて、図１２（ｂ）に示すように、笠木５４の長手方向の一端に、屋根支持柱１３の取付け位置に凹み７５を形成している。その他の構成は、第４実施の形態と同様である。  
この第５実施の形態にかかる簡易構造体１おいても、第４実施の形態と同様の作用効果を奏することができる。
【００３１】
本発明は、上述した実施の形態に限らず、本発明の要旨を逸脱しない範囲で種々変形可能である。  
例えば、簡易構造体１は、カーポートに限らず、門屋根、サイクルポート、通路シェルター、テラスやバルコニー等であっても良い。  
第１〜第３実施の形態において、それぞれ、壁体５は屋根９を挟んで対向する一方側にのみ設けたが、対向する他方側に設けても良いし、一方側と他方側との両方に設けて良い。  
第３実施の形態において、壁体５内に配置される屋根支持柱１３は、２本に限らず、３本を支持しても良い。  
【符号の説明】
【００３２】
１    簡易構造体
３    屋根体
５    壁体
９    屋根
１３  屋根支持柱
１５  表側壁
１７  裏側壁
１９、１９ｂ  壁支持縦材
Ｓ    空間
【図１】
2020204171.tif 000003
【図２】
2020204171.tif 000004
【図３】
2020204171.tif 000005
【図４】
2020204171.tif 000006
【図５】
2020204171.tif 000007
【図６】
2020204171.tif 000008
【図７】
2020204171.tif 000009
【図８】
2020204171.tif 000010
【図９】
2020204171.tif 000011
【図１０】
2020204171.tif 000012
【図１１】
2020204171.tif 000013
【図１２】
2020204171.tif 000014